(57)【要約】    【課題】雨水を利用して冷房能力を確保しつつ電力消費量を低減し、ヒートアイランド現象に対して有効な対策となり得るようにした冷房装置の運転エネルギー省力化システムを提供する。    【解決手段】バケット(22)に一定量の水が溜まったときに水の重みによってバケットが揺動又は回動して放水し、熱交換器の大気取入れ面(10A)に滴下させる省力化装置(20)と、雨水を貯水する貯水タンク(34)と、貯水タンクの雨水を省力化装置のバケットに案内する雨水供給通路(30,33)と、熱交換器の排気温度に応動して排気温度が設定高温度以上になった時に雨水供給通路を開放する給水温調弁(31)と、を備える。【選択図】  図１
2007147210.tif 000002
【特許請求の範囲】
【請求項１】
室外機の熱交換器の大気取入れ面に水を滴下させ、大気取入れ面を洗浄するとともに冷却することにより冷房能力の低下を防ぎながら電力消費量を低減できるようにした冷房装置の運転エネルギー省力化システムにおいて、
バケットに一定量の水が溜まったときに水の重みによって上記バケットが回動又は傾動して放水し、上記熱交換器の大気取入れ面に滴下させる省力化装置と、
雨水を貯水する貯水タンクと、
該貯水タンクの雨水を上記省力化装置のバケットに案内する雨水供給通路と、
上記熱交換器の排気温度に応動して上記排気温度が設定高温度以上になった時に上記雨水供給通路を開放する給水温調弁と、
を備えたことを特徴とする冷房装置の運転エネルギー省力化システム。
【請求項２】
外気温度に応動して上記外気温度が設定低温度以下になった時に上記雨水供給通路を水抜き通路に開放する水抜き温調弁を更に備えた請求項１記載の冷房装置の運転エネルギー省力化システム。
【請求項３】
上記貯水タンクの雨水を上記雨水供給通路に送給する送給ポンプを更に備えた請求項１記載の冷房装置の運転エネルギー省力化システム。
【請求項４】
上記省力化装置は、
所定の貯水量未満の時には貯水姿勢を維持し、貯水量が所定量に達した時に貯水姿勢から放流姿勢に回動して放水するバケットと、
底部に流下部が形成され、上記バケットから放水された水を受けて流下部から下方に流下させる筐体と、
下端側が上記室外機の熱交換器の大気取入れ面に接触又は接近され、上記筐体の流下部から流下された水を上記大気取入れ面に向けて案内することにより上記大気取入れ面に沿って滴下させる案内体と、
から構成されている請求項１記載の冷房装置の運転エネルギー省力化システム。
【請求項５】
上記バケットを貯水姿勢に付勢する重錘又はばね部材を更に備えた請求項４記載の冷房装置の運転エネルギー省力化システム。
【請求項６】
上記給水温調弁は、
ハウジング内の流入口と流出口との間の通路に開閉弁を設け、開閉弁をばね部材によって閉方向に付勢する一方、開閉弁にはハウジング内に圧力室を区画形成するダイヤフラムを連結し、内部にガスが充満された感温部を圧力室と連通し、感温部内のガス圧を熱交換器の排気温度に応じて変化させ、熱交換器の排気温度が上昇して設定高温度に達した時に圧力室のガス圧を受けるダイヤフラムが上記ばね部材の付勢力に抗して上記通路の開閉弁を開放するように構成されている請求項１記載の冷房装置の運転エネルギー省力化システム。
【請求項７】
上記水抜き温調弁は、
ハウジング内の流入口と流出口との間の通路に開閉弁を設け、開閉弁をばね部材によって開方向に付勢する一方、開閉弁にはハウジング内に圧力室を区画形成するダイヤフラムを連結し、内部にガスが充満された感温部を圧力室と連通し、感温部内のガス圧を大気温度に応じて変化させ、大気温度が低下して設定低温度に達した時に上記ばね部材の付勢力が上記ガス圧に抗して上記通路の開閉弁を開放するように構成されている請求項２記載の冷房装置の運転エネルギー省力化システム。
【発明の詳細な説明】
【技術分野】
【０００１】
本発明は冷房装置の運転エネルギー省力化システムに関し、特により多くのエネルギーを消費しながら機能低下を余儀なくされている猛暑時に雨水を利用して室外機の熱交換器を洗うことで清浄に保つと同時に冷却を助けて冷房能力の低下を防ぎつつ電力消費量を低減でき、ヒートアイランド現象に対して有効な対策となり得るようにしたシステムに関する。
【背景技術】
【０００２】
一般家庭、店舗、オフィスビル等においては室内を快適な温度に保持するために、空気を熱源とする冷房装置がよく利用されている。
【０００３】
しかし、夏期の昼間においては放熱する仕事をする室外機を最大限稼働させているにもかかわらず、十分な冷房能力が得られず、電力が無駄に消費されるばかりでなく、室外機から高温の排気が排出されてヒートアイランド現象の１つの原因となっており、さらには冷房装置をフル稼働させているので、装置の耐久性が低下する。これは夏期の昼間においては外気温が３０℃を越え、特にオフィスビルの屋上等では輻射熱等によって室外機周囲の外気温が４０℃を越えることによって熱交換効率が低下し、しかも熱交換器の汚れ等が熱交換器の効率の低下を助長していることが原因である。
【０００４】
これに対し、冷却水を噴霧ノズルによって室外機の熱交換器の大気取入れ面に向けて噴霧し、冷却水の蒸発熱を利用して熱交換器の熱交換効率を向上させ、もって所望の冷却能力を確保しつつ電力消費量を低減させるようにした冷房装置の運転エネルギー省力化装置が提案されている（特許文献１、特許文献２）。
【０００５】
この特許文献１、２記載の運転エネルギー省力化装置では冷却水に水道水や工業用水を利用しているが、大量の冷却水を必要とし、水道料金が高くなるなど、設備コスト及び稼働コスト共に高くなる。
【０００６】
しかも、熱交換器の大気取入れ面が直接噴霧した水道水等で常に濡れた状態となるので、水道水や工業用水に含まれる塩素、シリカ、鉄分、カルシウム分等が大気取入れ面のフィンや導管に付着し、フィンや導管を短期間のうちに腐食させてしまう。
【０００７】
これに対し、本件出願人は、室内機から発生するドレイン水を室外機の熱交換器の大気取入れ面に滴下させ、従来は棄てていた綺麗で低温のドレイン水を利用することにより設備コスト高及び稼働コスト高を招来することなく、冷房能力を確保しつつ電力消費量を低減してヒートアイランド現象に対して有効な対策となり得るとともに、熱交換器の大気取入れ面を清浄にでき、所期の耐久性を保証できるようにした冷房装置の運転エネルギー省力化装置を開発し実用化するに至った（特許文献３）。
【０００８】
ところで、最近は雨水を貯水する施設を都市の地下に構築し、あるいは貯水タンクを高層建築物や家屋に設置することが行われているが、雨水は庭の植木や植物の灌水に用いる程度であり、適切な用途があまりなく、貯水した雨水の大部分をそのまま下水施設などに放水してしまうことが多い。
【０００９】
【特許文献１】特開２０００−２８２３０号公報
【特許文献２】特開２００１−３１７８２１号公報
【特許文献３】特開２００４−３０１４９２号公報
【発明の開示】
【発明が解決しようとする課題】
【００１０】
上述の雨水は水蒸気が凝縮したものであり、冷房装置の室内機から出るドレイン水と同様に不純物をほとんど含んでおらず、特許文献３記載の運転エネルギー省力化装置に利用することが提案される。
【００１１】
特許文献３記載の運転エネルギー省力化装置では室内機のドレイン水は冷房装置の運転状況によっても異なるが、雨水に比して少なく、装置内のバケットに一定量を溜めてからバケットを回動又は傾動させて放流し、室外機の大気取入れ面に滴下させるようにしているので、特別な制御は不要である。しかし、雨水の場合には建築構造物の屋上や屋根に降って雨樋を伝って流下する雨水を貯水タンクに貯水し、これを省力化装置のバケットにポンプアップして給水することが多いので、大量の雨水がバケットに一度に流れ込むおそれがあり、給水の制御を必要となる。
【００１２】
本発明はかかる点に鑑み、雨水を利用して冷房能力を確保しつつ電力消費量を低減できてヒートアイランド現象に対して有効な対策となり得るとともに、室外機の熱交換器を清浄に保ち、所期の耐久性を保証できるようにした冷房装置の運転エネルギー省力化システムを提供することを課題とする。
【課題を解決するための手段】
【００１３】
そこで、本発明に係る冷房装置の運転エネルギー省力化システムは、室外機の熱交換器の大気取入れ面に水を滴下させ、大気取入り面を洗浄するとともに冷却することにより冷房能力の低下を防ぎながら電力消費量を低減できるようにした冷房装置の運転エネルギー省力化システムにおいて、バケットに一定量の水が溜まったときに水の重みによってバケットが回動又は傾動して放水し、上記熱交換器の大気取入れ面に滴下させる省力化装置と、雨水を貯水する貯水タンクと、該貯水タンクの雨水を上記省力化装置のバケットに案内する雨水供給通路と、上記熱交換器の排気温度に応動して上記排気温度が設定高温度以上になった時に上記雨水供給通路を開放する給水温調弁とを備えたことを特徴とする。
【００１４】
本発明の特徴の１つは貯水タンクに貯水した雨水を省力化装置のバケットで受け、一定量の雨水の重さによってバケットを回動又は傾動させ、バケットの雨水を間欠的に熱交換器の大気取入れ面に沿って滴下させるようにした点にある。
【００１５】
これにより、熱交換器の熱交換効率が向上し、夏期の昼間において冷房装置をフル稼働させずとも所望の冷房能力を確保できるので、電力消費量を低減できるとともに、室外機の排気がむやみに上昇しないので、ヒートアイランド現象に対する有効な対策となる。また、装置に過大な負担が加わらないので、耐久性を保証できる。
【００１６】
また、従来は無駄に放水されていた雨水を有効に利用することができ、水道水や工業用水を別途準備する必要がないので、設備コストや稼働コストが高くつくこともない。
【００１７】
また、熱交換器の大気取入れ面のフィンや導管は不純物の少ない雨水で濡れた状態となるので、フィンや導管の腐食が起こらず、これによっても装置の耐久性を保証できることとなる。
【００１８】
また、本発明の他の特徴は熱交換器の排気温度に応動する給水温調弁を設け、排気温度が上昇して設定高温度、例えば３５°Ｃに達した時に雨水供給通路を開放して貯水タンクから省力化装置のバケットに雨水を供給できるようにした点にある。
【００１９】
水の供給を制御する場合、サーモスタットなどのセンサー、電磁弁及びセンサー信号を受けて電磁弁を開閉する制御ユニットによって行うことが考えられるが、その場合には構造が複雑になるとともに、コスト高を招来するおそれがある。これに対し、上述のように排気温度に応動する給水温調弁を用いると、構造が簡単で、取付けも容易に行え、しかも低コスト化を実現でき、さらにはメンテナンス性にも優れている。
【００２０】
給水温調弁は温度に応動して通路を開閉するものであれば形状や構造は特に限定されない。例えば、給水温調弁は、ハウジング内の流入口と流出口との間の通路に開閉弁を設け、開閉弁をばね部材によって閉方向に付勢する一方、開閉弁にはハウジング内に圧力室を区画形成するダイヤフラムを連結し、内部にガスが充満された感温部を圧力室と連通し、感温部内のガス圧を熱交換器の排気温度に応じて変化させ、熱交換器の排気温度が上昇して設定高温度に達した時に圧力室のガス圧を受けるダイヤフラムがばね部材の付勢力に抗して通路の開閉弁を開放するように構成されることができる。
【００２１】
貯水タンクが室外機よりも高い位置に設置されている場合には屋上や屋根に降った雨水を貯水タンクにポンプアップするようにすれば、室外機と貯水タンクの高低差を利用して貯水タンクから省力化装置のバケットに雨水を供給することができる。他方、貯水タンクが室外機よりも低い位置に設置されている場合には貯水タンクの雨水を省力化装置のバケットにポンプアップして供給する給水ポンプを設ける必要がある。
【００２２】
上記では雨水を利用するようにしたが、雨水に加えて室内機のドレイン水も利用することもできる。この場合、冷房装置の室内機のドレイン水は比較的少ないので、省力化装置のバケットに直接供給するようにしてもよく、又貯水タンクに供給し、雨水と一緒に省力化装置のバケットに供給するようにしてもよい。
【００２３】
冷房装置の運転エネルギー省力化システムは夏期に稼働させ、冬期には稼働させる必要は少ないが、厳冬期に給水系に水が残っていると凍結が発生し、給水系に故障や破損が発生するおそれがある。特に、貯水タンクから雨水供給通路にポンプアップする場合には給水温調弁より上流側の雨水供給通路にはサイホン現象によって水が残留して抜け難く、凍結が懸念される。
【００２４】
そこで、外気温度が設定低温度以下になった時に雨水供給通路を水抜き通路に開放する水抜き温調弁を更に備えるのがよい。水抜き温調弁は給水温調弁とほぼ同様の構造を採用し、感温部の温度が一定温度以下になってガス圧が低下したときにばね部材の付勢力によって開閉弁を開く構造とすればよい。
【００２５】
即ち、水抜き温調弁は、ハウジング内の流入口と流出口との間の通路に開閉弁を設け、開閉弁をばね部材によって開方向に付勢する一方、開閉弁にはハウジング内に圧力室を区画形成するダイヤフラムを連結し、内部にガスが充満された感温部を圧力室と連通し、感温部内のガス圧を大気温度に応じて変化させ、大気温度が低下して設定低温度に達した時にばね部材の付勢力がガス圧に抗して通路の開閉弁を開放するように構成されることができる。
【００２６】
本発明の運転エネルギー省力化システムは一般家庭、店舗、オフィスビルに装備されている冷房装置（エアーコンディショナーを含む）に適用するとその効果が大きい。
【００２７】
省力化装置はバケットに一定量の水が溜まったときに水の重みによってバケットが回動又は傾動して放水するものであれば特に形状や構造は限定されない。
【００２８】
例えば、省力化装置は、所定の貯水量未満の時には貯水姿勢を維持し、貯水量が所定量に達した時に貯水姿勢から放流姿勢に回動して放水するバケットと、底部に流下部が形成され、バケットから放水された水を受けて流下部から下方に流下させる筐体と、下端側が室外機の熱交換器の大気取入れ面に接触又は接近され、筐体の流下部から流下された水を大気取入れ面に向けて案内することにより大気取入れ面に沿って滴下させる案内体と、から構成されることができる。
【００２９】
この場合、バケットは支持軸の位置と自重及び水の重さのバランスによって回動又は傾動するようにしてもよく、又バケットを貯水姿勢に付勢する重錘又はばね部材を更に備えるようにしてもよい。バケットは貯水姿勢において水を受けて貯水した後、放流姿勢に回動又は傾動し、この放流姿勢において水を放流することができればどのような形状や構造でもよい。
【００３０】
例えば、バケットは一端側が開放されかつ他端有底側に重錘が設けられた略筒状に形成することができる。この場合、バケットの長手方向の中間で支持軸廻りに回動自在に支持すると、バケット内の水の貯水量が所定量未満の時にはバケットは有底側が開放端側よりも下方に位置する貯水姿勢をとり、バケット内に所定量の水が貯水された時にバケットは開放端側が有底側よりも下方に位置した放流姿勢に向けて重錘の重さに抗して支持軸廻りに回動させることができる。
【００３１】
また、バケットは上面の開口された函状の本体を支持軸回りに回動可能に支持するようにしてもよく、あるいは函状の本体の底部近傍の位置又は底部よりも下方に離れた位置で支持軸廻りに回動自在に支持し、支持軸に対して函状の本体と反対側に重錘が設けられた形態に構成することもできる。後者の場合にはバケット内の貯水量が所定量未満の時にはバケットは函状の本体の上面開口を上方に指向させた貯水姿勢をとり、バケット内に所定量の水が貯水された時にバケットは函状の本体の上面開口を側方又は下方に指向させた放流姿勢に向けて支持軸廻りに回動することとなる。
【００３２】
また、上述のようにバケットの本体を函状にすると、函状の本体を冷房装置の室外機の横幅に応じた長さに製作することによってどのような大きさの冷房装置にも簡単にセットすることができ、その汎用性は高い。
【００３３】
バケットは上述のように重錘によって貯水姿勢に保持してもよいが、重錘に代え又は重錘とともにばね部材の付勢力によって貯水姿勢に保持することもできる。例えば、バケットをばね部材によって貯水姿勢に向けて引っ張り付勢し、２本のコイルばねによってバケットを相互に支持軸廻りに逆方向に回動付勢し、あるいはバケットの他側方にストッパーを設けてバケットを一側方にのみ回動し得るように構成し、１本のコイルばねによってバケットを他側方に向けて回動付勢し、もってバケット内に所定量の水が貯水されたときに水の重さで放流姿勢に向けて回動させるように構成することもできる。
【００３４】
また、バケットは筐体と別に、例えば筐体に上方に設けてもよいが、運転エネルギー省力化装置を設置する時に作業が煩雑となる。そこで、バケットは筐体内に回動自在に支持しておくのがよい。
【００３５】
筐体は底部（底壁面又は側壁面の底壁面近傍）に流下部を形成し、バケットから放流された水を受けて流下部から下方に流下させることができればどのような形状や構造でもよい。例えば、筐体は上面が開口された形状としてもよく、又バケットを内蔵する場合には筐体はほぼ密閉した形状としてもよい。
【００３６】
筐体の流下部は例えば流下部を大きく形成し、あるいは数を多くすることによってバケットからの水を受けてすぐに流下させるように構成してもよく、又流下部を小さく形成しあるいは数を少なくすることによって時間をかけて徐々に流下させるように構成することもできる。例えば、筐体の流下部には貫通孔や貫通した長溝を採用することができる。貫通孔は複数設ける場合には筐体底部に長手方向に並べるのがよく、さらに必要に応じて筐体底部の幅方向にも並べてもよい。
【００３７】
また、貫通した長溝は筐体底部に長手方向に延びるように形成するのがよい。また、この貫通した長溝を複数設ける場合には筐体底部の幅方向にも並べるようにしてもよい。
【００３８】
また、水は筐体からそのまま案内体に向けて流下させるのがよいが、筐体から流下した水を案内体に向けて分散させる分散体を設けるようにしてもよい。
【００３９】
案内板は大気取入れ面の幅方向の一部に延びる長さであってもよいが、熱交換器の熱交換効率を考慮すると、大気取入れ面の幅方向のほぼ全幅にわたって延びる長さとするのが好ましい。
【００４０】
この案内体は流下した水を大気取入れ面に案内できれば特に材料や形態は限定されず、例えば織布製帯、不織布製帯、合成樹脂製帯、金属箔製帯等を用いてもよいが、流下した水が滞ることなく円滑に大気取入れ面に流れるようにプレート状や刷毛状とするのがよい。刷毛の材料は特に限定されず、天然材料（例えば、毛や植物）や人工材料（例えば、合成樹脂材料）を用いて構成することができる。
【００４１】
筐体、バケット及び案内体の材料は特に限定されず、合成樹脂材料や金属材料を用いて製作することができる。
【発明を実施するための最良の形態】
【００４２】
以下、本発明を図面に示す具体例に基づいて詳細に説明する。図１ないし図６は本発明に係る冷房装置の運転エネルギー省力化システムの好ましい実施形態を示す。図において、冷房装置の室外機１０は屋外に、室内機１１は室内に設置され、室外機１０と室内機１１との間には冷媒を循環させる循環パイプ（図示せず）が設けられている。
【００４３】
室外機１０の熱交換器にはフィンが設けられ、室外機１０のハウジング内には吸引ファンによって大気取入れ面１０Ａを介して大気が取り込まれ、その大気と圧縮した冷媒とがフィンで熱交換を行うようになっている。
【００４４】
室外機１０のハウジングの天板には省力化装置２０が取付けられている。この省力化装置２０ではそのハウジング２１は底壁面で雨水とドレイン水を受け得るほぼ密閉された直方体の容器形状をなし、ハウジング２１は室外機１０のハウジングの天板に載置され、取付けブラケット２１Ａとねじとによって固定されている。
【００４５】
このハウジング２１の底壁面には室外機１０の大気取入れ面１０Ａ側に底壁面で受けた雨水とドレイン水を例えば数秒の時間をかけて下方に流下させ得る大きさの長溝（図示せず）が長手方向に延びて貫通して形成されている。
【００４６】
また、ハウジング２１内にはバケット２２が設けられている。このバケット２２は左右の円板の間にＶ字状の受けプレートを溶接等によって固定して構成され、左右の円板は支持軸２２Ａによってハウジング２１の側壁面に回転自在に支持されており、バケット２２は所定の貯水量未満の時には開口を上方に向けた貯水姿勢をとる一方、貯水量が増大して所定量に達すると支持軸２２Ａの回りに回動して放流姿勢となり、雨水及びドレイン水を放水するようになっている。
【００４７】
また、ハウジング２１の底部には案内プレート（案内体）２３が固定され、該案内プレート２３の先端は室外機１０の大気取入れ面１０Ａの上端部位において大気取入れ面１０Ａの幅方向のほぼ全幅にわたって延びて接触されており、ハウジング２１の底壁面の長溝から流下された水を受けて大気取入れ面１０Ａに案内するようになっている。
【００４８】
また、ハウジング２１の上壁面にはホース取付け部２１Ｂが設けられて給水ホース（雨水供給通路）３０の先端部がバケット２２の開口の上方に位置して取付けられている。なお、給水ホース３０の先端部はハウジング２１の側壁面を貫通して取付け、給水ホース３０の先端をバケット２２の開口の上方に位置させるか、又はハウジング２１の側壁面にホース取付け部を貫通して設け、ハウジング２１の側方から雨水及びドレイン水を供給するようにしてもよい。
【００４９】
この給水ホース３０には図４に示されるようにコントローラバルブ３２を介して給水温調弁３１が接続されている。このコントローラバルブ３２は摘まみ３２Ａを回転させることによって通路面積が変化し、給水量が摘まみ３２Ａによって設定した量を越えないように制限するようになっている。
【００５０】
給水温調弁３１では図５に示されるように、ハウジング３１Ａに流入口３１Ｂと流出口３１Ｃとが対向して形成され、流入口３１Ｂと流出口３１Ｃとの間は通路３１Ｄで連通され、ハウジング３１Ａの上方にばね座３１Ｅが形成され、ばね座３１Ｅにはコイルばね３１Ｆが縮装されている。また、ハウジング３１Ａの下方には圧力室３１Ｇが区画形成され、圧力室３１Ｇ内には筒状のダイヤフラム３１Ｈが設けられ、ダイヤフラム３１Ｈとコイルばね３１Ｆとの間にはロッド３１Ｊが介設され、ロッド３１Ｊには開閉弁３１Ｋが通路３１Ｄの開口部３１Ｐを開閉し得るように固定されている。
【００５１】
また、圧力室３１Ｇにはキャピラリーチューブ３１Ｌの一端が連通して接続され、キャピラリーチューブ３１Ｌの他端は感温部３１Ｍに接続され、圧力室３１Ｇ、キャピラリーチューブ３１Ｌ及び感温部３１Ｍの内部はガスによって充満され、感温部３１Ｍは室外機１０の排気側に配置され、排気温度に応じてガス圧を変動させ、ガス圧とコイルばね３１Ｆの付勢力とのバランスによってダイヤフラム３１Ｈを上下させて開閉弁３１Ｋを開閉ようになっている。
【００５２】
給水温調弁３１の流入口３１Ｂには給水ホース３３が接続され、給水ホース３３の先端は地下式の貯水タンク３４に接続され、貯水タンク３４には屋上から延びる雨水樋３９が接続され、屋上に降った雨水が貯水されるようになっている。なお、３３Ａは給水ホース３３に設けられた自動空気抜き弁である。また、貯水タンク３４は地下式に限定されず，図１に一点鎖線で示されるような地上式であってもよい。
【００５３】
また、雨水樋３９には室内機１１から延びるドレインホース３８が接続され、室内機１１から出るドレインが貯水タンク３４に貯水されるようになっている。
【００５４】
さらに、給水ホース３３には貯水タンク３４の近くにストレイナー３１０及び給水ポンプ３７が設けられるとともに、水抜き温調弁３１’の流入口３１Ｂ’が接続され、水抜き温調弁３１の流出口３１Ｃ’には水抜きホース３３’が接続されている。水抜き温調弁３１’は図６に示されるように、図５に示される給水温調弁３１とほぼ同様の構造を有するが、感温部３１Ｍ’で大気温度が所定の低温度以下に達した時に開閉弁３１Ｋ’が通路３１Ｄ’の開口部３１Ｐ’を開放するようになっている。なお、水抜き温調弁３１’の給水温調弁３２と同一又は相当部分は同一符号に’を付して示している。
【００５５】
また、給水ポンプ３７は給水ホース３３内の圧力が上昇して設定高圧力に達するまで給水し、設定圧力に達すると作動を停止し、給水ホース３３内の圧力が設定低圧力以下に低下すると作動を開始するようになっている。
【００５６】
さらに、建築構造物では冷房装置の室内機１１のドレイン水を給水ホース３１２によって省力化装置２０のバケットに供給し、室外機１０の熱交換器の大気取入れ面１０Ａを洗浄し冷却するシステムが併設されている。
【００５７】
図１において、３１３は分配器であり、省力化装置２０とほぼ同一の構造を有し、ハウジング底部に省力化装置２０の個数、図１の場合は２つの給水口が形成され、一定量のドレイン水が貯水されたときに放水し、２つの給水口から２つの省力化装置２０に給水するようになっている。なお、詳細は後述する。
【００５８】
冷房装置を作動させると、室内機１１で冷媒と室内の空気が熱交換され、室内の熱を吸熱した冷媒は圧縮器で圧縮されるとともに、室内機１１から室外機１０に送られてくる。室外機１０では吸引ファンが作動され、室外機１０のハウジング内にはその大気取入れ面１０Ａ側から大気が取入れられており、室内機１１からの冷媒は熱交換器１０Ａで大気と熱交換されて凝縮され、室内機１１に戻される。
【００５９】
その際、外気温度が高く、冷房装置の負荷が大きくなると、冷房装置の室外機１０の熱交換器１０Ａの排気温度が高くなる、感温部３１Ｍが熱交換器１０Ａの排気温度に応じてガス圧を上昇させ、ダイヤフラム３１Ｇを押圧し、ロッド３１Ｊがコイルばね３１Ｆのばね力に抗してスライドされ、開閉弁３１Ｋが通路３１Ｄを開く。
【００６０】
すると、貯水タンク３４内の雨水及びドレイン水が給水ホース３３、給水温調弁３１、コントローラバルブ３２及び給水ホース３０を経て省力化装置２０に供給され、貯水タンク３４からの雨水及びドレイン水はハウジング２１内に流れ落ちる。ハウジング２１内ではバケット２２が貯水姿勢をとっており、ハウジング２１内に流れ落ちた雨水はバケット２２内に貯水される。
【００６１】
バケット２２内の水量が所定量になると、バケット２２は貯水姿勢から放流姿勢に回動しバケット２２に貯水されていた雨水はハウジング２１内に放流される。すると、ハウジンク２１の底部では放流された雨水が長溝から一気に流下されて案内プレート２３で受けられ、案内プレート２３の長手方向に拡がって分散されながら下方に滴下し、室外機１０の大気取入れ面１０Ａの上端部位に流れて大気取入れ面１０Ａに伝わって下方に滴下し、大気取入れ面１０Ａの全面を濡らし、熱交換器のフィンの熱によって蒸発される。
【００６２】
雨水を放流したバケット２２は自重と支持軸２２Ａとのバランスによって元の貯水姿勢に戻り、貯水タンク３４からの雨水及びドレイン水を受け得る状態となる。
【００６３】
上述のような動作が繰り返され、室外機１０の大気取入れ面１０Ａは雨水及びドレイン水によって間欠的に濡らされ、その熱交換効率が向上されるとともに、洗浄される。
【００６４】
また、室内機１１から出たドレイン水は給水ホース３１２によって室外機１０に設けた省力化装置２０のバケットに供給されており、バケット内に所定量のドレイン水が溜まると、バケットが回動して放流し、室外機１０の大気取入れ面１０Ａを滴下して大気取入れ面１０Ａを冷却し洗浄する。
【００６５】
他方、冬期になると、給水ホース３３内の凍結が懸念されるが、冬期になって外気温度が低下して設定低温度に達すると、水抜き温調弁３１’の感温部３１Ｍ’内のガス圧が低下し、水抜き温調弁３１’の開閉弁３１Ｋ’がコイルばね３１Ｆ’の付勢力によって通路３１Ｄ’を開き、給水ホース３３内の圧力が低下すると、自動空気抜き弁３３Ａから給水ホース３３内に空気が導入され、給水ホース３３内の水は水抜きホース３３’によって貯水タンク３４に戻され、給水ホース３３の凍結が防止される。
【００６６】
図７は第２の実施形態を示し、図において図１ないし図６と同一符号は同一又は相当部分を示す。本例では給水温調弁３１の流出口３１Ｃに接続された給水ホース３０が複数に分岐され、各分岐ホース３０にはコントローラバルブ３２を介して複数の室外機１０の省力化装置２０に接続されており、このように給水温調弁３１から延びる給水ホース３０を分岐して複数の省力化装置２０に給水するようにすることもできる。
【００６７】
図８及び図９は第３の実施形態を示す。図において図１ないし図６と同一符号は同一又は相当部分を示す。本例では室内機１１のドレイン水を分配器３１３で一時貯水してから複数の省力化装置２０に分配して給水するようにしている。
【００６８】
分配器３１３はハウジング内に回動自在（又は傾動自在）なバケットを内蔵し、省力化装置２０とほぼ同一の構造を有するが、ハウジング底壁には長溝ではなく、省力化装置２０の個数、本例では６つの給水口が形成され、各給水口から省力化装置２０に給水ホース３１２が延びている。
【００６９】
ドレイン水を多数の省力化装置２０に分配して給水する場合、ドレイン水は雨水ほど大量に生成されず、ドレイン水を複数の省力化装置２０に均等に分配することは難しい。そこで、省力化装置２０の機構を利用し、十分な量のドレイン水を一時貯水してから各省力化装置２０に分配するようにすると、各省力化装置２０に均等に分配することができる。
【図面の簡単な説明】
【００７０】
【図１】本発明に係る冷房装置の運転エネルギー省力化システムの好ましい実施形態を示す概略構成図である。
【図２】上記実施形態における省力化装置２０の室外機１０への取付け状態を示す概略斜視図である。
【図３】上記実施形態における省力化装置を示す概略斜視図である。
【図４】上記実施形態における給水温調弁を示す概略図である。
【図５】上記給水温調弁の構造を示す概略図である。
【図６】上記実施形態における水抜き温調弁の構造を示す概略図である。
【図７】第２の実施形態を示す要部構成図である。
【図８】第３の実施形態における分配器３１２、省力化装置２０の室外機１０への取付け状態の例を示す概略斜視図である。
【図９】図８の分配例の模式図である。
【符号の説明】
【００７１】
１０      室外機
１０Ａ    大気取入れ面
１１      室内機
２０      省力化装置
２２      バケット
３０、３３      給水ホース
３１      給水温調弁
３１Ａ    ハウジング
３１Ｂ    流入口
３１Ｃ    流出口
３１Ｆ    コイルばね（ばね部材）
３１Ｇ    ダイヤフラム
３１Ｈ    圧力室
３１Ｍ    感温部
３０      給水ホース（第１の雨水供給通路）
３１，    水抜き温調弁
３１Ａ’  ハウジング
３１Ｂ’  流入口
３１Ｃ’  流出口
３１Ｆ’  コイルばね（ばね部材）
３１Ｇ’  ダイヤフラム
３１Ｈ’  圧力室
３１Ｍ’  感温部
３４      貯水タンク
【図１】
2007147210.tif 000003
【図２】
2007147210.tif 000004
【図３】
2007147210.tif 000005
【図４】
2007147210.tif 000006
【図５】
2007147210.tif 000007
【図６】
2007147210.tif 000008
【図７】
2007147210.tif 000009
【図８】
2007147210.tif 000010
【図９】
2007147210.tif 000011